(57)【要約】【課題】大きな空間範囲及び大きな伝送角度で遠隔制御を可能とした空調設備及びそのホストコンピュータを提供する。【解決手段】 空調設備は、遠隔制御器と空調ホストコンピュータを備え、遠隔制御器は、第１プロセッサ及びそれと接続する第１ＲＦ伝送装置を有し、空調ホストコンピュータは、第２プロセッサと、第２プロセッサに接続する第２ＲＦ伝送装置と、ＣＰＵと、を有し、遠隔制御器の第１ＲＦ伝送装置は、空調ホストコンピュータの第２ＲＦ伝送装置と通信し、空調ホストコンピュータの第２プロセッサは、赤外インターフェイス又は赤外受信データ登録ポートを介してＣＰＵに接続し、ＲＦ信号と赤外信号との間でデータフォーマット変換を行うことに用い、第２ＲＦ伝送装置が受信したＲＦ信号を赤外信号へ変換し、前記ＣＰＵに伝送する。【選択図】図１
2010243060.tif 000002
【特許請求の範囲】
【請求項１】
遠隔制御器と空調ホストコンピュータとを備え、
前記遠隔制御器は、第１プロセッサ及びそれと接続する第１ＲＦ伝送装置を有し、
前記空調ホストコンピュータは、第２プロセッサと、前記第２プロセッサに接続する第２ＲＦ伝送装置と、ＣＰＵと、を備え、
前記遠隔制御器の第１ＲＦ伝送装置は、空調ホストコンピュータの第２ＲＦ伝送装置と通信し、
前記空調ホストコンピュータの第２プロセッサは、赤外インターフェイス又は赤外受信データ登録ポートを介して前記ＣＰＵに接続し、ＲＦ信号と赤外信号との間でデータフォーマット変換を行うことに用い、前記第２ＲＦ伝送装置が受信したＲＦ信号を赤外信号へ変換し、前記ＣＰＵに伝送することを特徴とする空調設備。
【請求項２】
前記空調ホストコンピュータのＣＰＵと第２プロセッサとが一体に成型されてホストコンピュータの動作制御に用い、前記第２ＲＦ伝送装置のＲＦ信号に対して解析を行い、前記解析結果に基づき、ホストコンピュータの動作を制御することを特徴とする請求項１記載の空調設備。
【請求項３】
前記遠隔制御器は、更に温度センサを有し、前記温度センサは、外界の実際の温度を測定し、前記第１プロセッサは、使用者が入力する設定温度と前記温度センサが測定した実際の温度とを比較し、前記実際の温度を前記ＲＦ伝送装置に伝送するか、又は使用者が入力した設定温度と前記温度センサが測定した実際の温度とを比較し、実際の温度が設定温度より低いとき、前記第１ＲＦ伝送装置に温度を上昇する命令を伝送し、そうでなければ、温度を低減する命令を伝送し、
前記第１ＲＦ伝送装置は、空調ホストコンピュータと通信することに用い、前記実際の温度データ、前記温度上昇命令又は温度低減命令をＲＦ方式で前記空調ホストコンピュータに伝送することを含むことを特徴とする請求項１記載の空調設備。
【請求項４】
前記温度センサは、熱抵抗と分圧抵抗を備え、前記熱抵抗の一端は、電圧源に接続し、もう一端は、前記分圧抵抗の一端に接続し、前記分圧抵抗のもう一端は、前記第１プロセッサの出力端に接続し、前記分圧抵抗と熱抵抗が接続する一端は、さらに、前記第１プロセッサのＡ／Ｄポートに接続し、温度測定を行う必要があるとき、該出力ポートは、低電圧レベルを出力し、前記第１プロセッサのＡ／Ｄポートが該直列接点箇所の電圧値を測定し、最後に相応する温度値に換算し、温度センサが測定する実際の温度とし、温度測定を行う必要がないとき、前記第１プロセッサの出力ポートが高電圧レベルを出力し、熱抵抗と分圧抵抗に直列回路中の電流を停止させることを特徴とする請求項３記載の空調設備。
【請求項５】
前記第１プロセッサが定期又は不定期に使用者が入力する設定温度および前記温度センサが測定する実際の温度と比較することを特徴とする請求項３記載の空調設備。
【請求項６】
第２プロセッサと、第２プロセッサに接続する第２ＲＦ伝送装置と、ＣＰＵと、を備え、
前記第２プロセッサが赤外インターフェイス又は赤外データ受信データ登録ポートは、前記ＣＰＵに接続し、ＲＦ信号と赤外信号との間でデータフォーマット変換を行うことに用い、前記第２プロセッサ伝送装置が受信したＲＦ時信号を赤外信号に変換し、前記ＣＰＵに伝送することを特徴とする空調ホストコンピュータ。
【請求項７】
前記空調ホストコンピュータのＣＰＵと第２プロセッサが一体に成型され、ホストコンピュータの動作を制御し、前記第２ＲＦ伝送装置からのＲＦ信号に対して解析を行い、前記解析結果に基づき、ホストコンピュータの動作を制御することを含むことを特徴とする請求項６記載の空調ホストコンピュータ。
【請求項８】
前記第２ＲＦ伝送装置が、遠隔制御器が測定した実際の温度を受信し、前記第２プロセッサがＲＦ信号フォーマットの前記実際の温度を赤外信号データフォーマットに変換して前記ＣＰＵに伝送し、前記ＣＰＵが前記実際の温度に基づき出力温度を調節することを特徴とする請求項６記載の空調ホストコンピュータ。
【発明の詳細な説明】
【技術分野】
【０００１】
本発明は、比較的大きな空間範囲における遠隔操作を可能とした空調設備及びそのホストコンピュータに関する。
【背景技術】
【０００２】
従来の家庭用又はオフィス用電気機器の遠隔操作制御は、一般に赤外線を用いた遠隔制御方式を採用している。前記赤外線を用いた遠隔制御方式を採用するシステムは、一般に発信部分と受信部分を含んで構成される。前記発信部分は、赤外線遠隔制御器であり、受信部分は、電気機器内に装着する赤外受信モジュールである。
【０００３】
遠隔制御器は、一般に遠隔制御器キー、回路、及び赤外発信モジュールを備えている。
【０００４】
前記赤外発信モジュールの主要部材は、赤外発光ダイオードであり、これは特殊なダイオードであって該赤外発光ダイオードの両端に低電圧を印加し、赤外線を照射することができるようになっている。赤外線を照射する過程は、デジタル信号をシステムパルス信号に調整し、前記赤外ダイオードを介し照射する。前記電気機器内の赤外受信モジュール内には、赤外受信器と復調回路を配置している。前記赤外受信器が受信する赤外信号は、前記復調回路に伝送されて、増幅、フィルタリング、復調後に出力されるようになっている。
【発明の概要】
【発明が解決しようとする課題】
【０００５】
従来の空調設備遠隔制御装置では、比較的小さな空間内で且つ小さな角度で操作する必要があるといった技術的欠陥を解決する為、本発明は、比較的大きな空間範囲及び大きな角度で空調設備に対して遠隔制御を行うことができるようにした空調設備及びそのホストコンピュータを提供することを目的としている。
【課題を解決するための手段】
【０００６】
本発明の空調設備は、遠隔制御器と空調ホストコンピュータとを備え、前記遠隔制御器は、第１プロセッサ及びそれと接続する第１ＲＦ（radio frequency 以下同じ）伝送装置を有し、前記空調ホストコンピュータは、第２プロセッサと、該第２プロセッサに接続する第２ＲＦ伝送装置と、ＣＰＵと、を有し、前記遠隔制御器の第１ＲＦ伝送装置は、空調ホストコンピュータの第２ＲＦ伝送装置と通信し、前記空調ホストコンピュータの第２プロセッサは、赤外インターフェイス又は赤外受信データ登録ポートを介して前記ＣＰＵに接続し、ＲＦ信号と赤外信号との間でデータフォーマット変換を行うことに用い、前記第２ＲＦ伝送装置が受信したＲＦ信号を赤外信号へ変換し、前記ＣＰＵに発送する。
【０００７】
本発明の空調ホストコンピュータは、第２プロセッサと、該第２プロセッサに接続する第２ＲＦ伝送装置と、ＣＰＵを有し、前記第２プロセッサは、赤外インターフェイス又は赤外受信データ登録ポートを介して前記ＣＰＵに接続し、ＲＦ信号と赤外信号との間でデータフォーマット変換を行うことに用い、前記第２ＲＦ伝送装置が受信したＲＦ信号を赤外信号へ変換し、前記ＣＰＵに伝送する。
【発明の効果】
【０００８】
本発明によれば、従来の空調設備では赤外遠隔制御を行うときの操作空間範囲と操作角度とが小さいという技術的欠陥を改善し、遠隔制御器と被制御ホストコンピュータとの間にＲＦ方式を採用して通信を行うことで、ＲＦ伝送による大きな空間範囲及び大きな伝送角度をとれる利点を利用し、使用者が遠隔制御器を手で持ち、被制御ホストコンピュータから遠く離れた箇所から遠隔制御を行うことができ、遠隔制御器の方向は、任意に向けることができ、使用者の操作難易度と負担を軽減できる。また、本発明の空調ホストコンピュータは、一般の赤外インターフェイス又は赤外受信データ登録ポートを採用して第２プロセッサと第２ＲＦ伝送装置とを接続し、ＲＦ信号と赤外信号との間でデータフォーマット変換を行い、従来の空調ホストコンピュータ又は空調設備の回路に対して何らの変更も行う必要がなく、第２プロセッサと第２ＲＦ伝送装置とを外設するだけでよく、コストが低い。
【図面の簡単な説明】
【０００９】
【図１】本発明の空調設備の第１実施例を示すブロック図である。
【図２】本発明の第１実施例における遠隔制御器のマイクロプロセッサの回路図である。
【図３】本発明の第１実施例における遠隔制御器のＲＦ伝送装置の回路図である。
【図４】本発明の第１実施例における遠隔制御器のキーの回路図である。
【図５】本発明の第１実施例における遠隔制御器のＬＣＤスクリーンの回路図である。
【図６】図２に示すマイクロプロセッサ回路中の温度センサの回路図である。
【図７】本発明の空調設備の第２実施例のブロック図である。
【図８】本発明の空調設備の第３実施例のブロック図である。
【図９】本発明の空調設備の第４実施例のブロック図である。
【図１０】本発明の空調設備の第５実施例のブロック図である。
【図１１】本発明の信号変換発信器の実施例を示すブロック図である。
【発明を実施するための形態】
【００１０】
図１において、本実施例に示す空調設備は、遠隔制御器と空調ホストコンピュータとを備え、前記遠隔制御器は、第１プロセッサ及びそれに接続する第１ＲＦ伝送装置を有し、前記空調ホストコンピュータは、第２プロセッサと、前記第２プロセッサに接続する第２ＲＦ伝送装置と、ＣＰＵと、を有している。前記遠隔制御器の第１ＲＦ伝送装置は、空調ホストコンピュータの第２ＲＦ伝送装置と通信し、前記空調ホストコンピュータの第２プロセッサは、赤外インターフェイス又は赤外受信データ登録ポートを介して前記ＣＰＵに接続し、ＲＦ信号と赤外信号との間でデータフォーマット変換を行うことに用い、前記第２ＲＦ伝送装置が受信したＲＦ信号を赤外信号へ変換し、前記ＣＰＵに伝送するようになっている。
【００１１】
前記遠隔制御器は、温度センサを備えることができ、この温度センサは、外界の実際の温度を測定する。前記第１プロセッサは、使用者が入力する設定温度と前記温度センサが測定した実際の温度を比較し、前記実際の温度を前記ＲＦ伝送装置に発送するか、又は使用者が入力した設定温度と前記温度センサが測定した実際の温度とを比較し、実際の温度が設定温度より低いとき、前記第１ＲＦ伝送装置に温度を上昇する命令を伝送し、そうでなければ、温度を低減する命令を伝送する。更に、キーボードなどの入力装置を介して設置する各種パラメータを直接伝送することができる。
【００１２】
本実施例中、遠隔制御器と空調設備ホストコンピュータとは、直接無線ＲＦ方式で通信し、一定範囲内で、空調ホストコンピュータ体内の第２ＲＦ伝送装置が遠隔制御器の送る信号を受信し、その後、第２プロセッサに伝送し、該第２プロセッサが受信したデータを赤外信号データフォーマットに変換し、その後、赤外インターフェイス又は赤外受信データ登録ポートを介して空調ホストコンピュータのＣＰＵに伝送し、空調機の動作モード及び出力温度を制御及び調節する。このように、空調機体の赤外受信モジュールを本発明の無線伝送装置に置き換えた後、空調機体の他の部分は、従来技術を援用することができ、したがって大きな変更を行う必要がなく、生産コストを節約し、応用を広げることに有利である。
【００１３】
または、前記空調ホストコンピュータの第２プロセッサとＣＰＵとが一体に成型されて合わせてＣＰＵと称し、前記第２ＲＦ伝送装置が受信したＲＦ信号データを直接空調のＣＰＵのデータ登録ポートに伝送し、前記空調ホストコンピュータのＣＰＵは、ホストコンピュータの動作制御に用い、前記ＲＦ信号に対して解析を行い、前記解析結果に基づきホストコンピュータの動作を制御することを含む。実際の応用において、前記第２プロセッサの機能は、プログラムを採用して置き換えることができ、即ち、前記ＣＰＵ内でプログラムを実行し、前記ＲＦ信号に対して解析を行うことができる。
【００１４】
他の実施例において、前記遠隔制御器は、温度センサを設けず、即ち、空調設備は、ホストコンピュータと遠隔制御器とを備え、前記遠隔制御器は、第１プロセッサと、それに接続する第１ＲＦ伝送装置を有している。前記ホストコンピュータは、第２ＲＦ伝送装置と、それと接続する第２プロセッサを有し、そのうち、前記ホストコンピュータの第２ＲＦ伝送装置は、前記遠隔制御器の第１ＲＦ伝送装置と通信する。
【００１５】
また、他の実施例の空調設備は、ホストコンピュータを含み、前記ホストコンピュータは、ＲＦ伝送装置とそれに接続するプロセッサを備え、そのうち、前記ホストコンピュータのＲＦ伝送装置は、前記ホストコンピュータを制御する遠隔制御器と通信し、前記ＲＦ伝送装置は、ＲＦ方式で前記遠隔制御器の命令又はデータを受信し、前記命令又はデータをプロセッサに伝送する。更に他実施例の遠隔制御器は、プロセッサとそれに接続するＲＦ伝送装置を有し、そのうち、前記ＲＦ伝送装置と遠隔制御器の制御を受ける空調設備と通信し、前記プロセッサは、命令またはデータを発生し、前記命令又はデータを前記ＲＦ伝送装置に発送し、前記ＲＦ伝送装置は、ＲＦ方式で前記空調設備に前記命令又はデータを伝送する。
【００１６】
図２は、本実施例における遠隔制御器の具体的回路図であり、そのうち、図２に示すマイクロプロセッサ１０の集積体ピンＭは、図３中のＲＦ伝送装置の集積体ピンＭ’に接続している。また、図２中のマイクロプロセッサ１０の集積体ピンＮは、図２Ｃ中のキーの集積体電極Ｎ’に接続する。図４から分かるように、遠隔制御器１６は、キーマトリクススキャン回路Ｓ１−Ｓ１６を有する。前記マイクロプロセッサ１０内部において、分周器、クロックカウンタ、制御器、キー入力スキャン部分から構成される。前記キーマトリクススキャン回路Ｓ１−Ｓ１６は、キーマトリクスの異なるキー位置が入力するパルスレベル信号に基づき、マイクロプロセッサ１０のデータレジスタに相応する番号のアドレスコードを出力する。某キーを閉じる時、相応する２本の交錯線が短絡され、相応するスキャンパルスがマトリクスを介してマイクロプロセッサ１０内部に送られ、マイクロプロ切磋０中のＲＯＭが相応するアドレスが読み出され、その後、内部から相応する制御指令およびパルスに変換するよう指令され、ＲＦ伝送装置１２に送られ、ＲＦ伝送装置１２は、マイクロプロセッサ１０が送るデータをエンコードしパケット処理した後、ＲＦ信号に変更し、アンテナを介して送出する。
【００１７】
図２、図３、図６において、前記温度センサ１８は、直列接続した熱抵抗ＲＴと分圧抵抗Ｒを有し、前記熱抵抗ＲＴの一端は、電圧源に接続し、もう一端は、前記分圧抵抗Ｒの一端に接続する。前記分圧抵抗Ｔのもう一端は、前記プロセッサ１０の出力ポートに接続する。前記分圧抵抗Ｒは、熱抵抗ＲＴの一端に接続し、更に前記プロセッサ１０のＡ/Ｄポートに接続する。温度測定を行う必要があるとき、前記プロセッサ１０の出力端が低電圧レベルを出力し、熱抵抗ＲＴと分圧抵抗Ｒの直列回路中に電流を発生する。熱抵抗ＲＴの抵抗値が温度により変化することによって、直列回路の電流が伴って変化する。前記プロセッサ１０のＡ/Ｄポートは、該直列接点箇所の電圧値を獲得し、分圧抵抗Ｒの電気抵抗は、固定され変化しないので、熱抵抗ＲＴが温度により抵抗値が変化した後、プロセッサ１０が獲得する電圧および熱抵抗ＲＴの抵抗値と、熱抵抗値ＲＴがセンサする環境温度は、一定の対応関係を有し、前記対応関係を利用し、最終的に相応する温度値に換算し、即ち、温度センサが測定する実際の温度となる。温度の測定を行う必要がないとき、前記プロセッサ１０の出力ポートが出力する高電圧レベルは、熱抵抗ＲＴと分圧抵抗Ｒの直列回路中に電流が発生せず、エネルギー消耗を低減することができる。
【００１８】
また、前記温度センサ１８は、室内の温度をセンサすることに用いる。実際の温度を得た後、前記マイクロプロセッサ１０は、前記実際の温度と設定温度を比較し、相応する遠隔制御指令を形成し、ＲＦ伝送装置１２を介して発出する。ＬＣＤスクリーン１７は、動作状態と設定を表示することに用いる。
【００１９】
説明すべきことは、本発明の遠隔制御器は、多種類の実施が可能で、例えば、前記遠隔制御器は、前記温度センサが得た実際の温度を受信した後、使用者が入力した設定温度と前記温度センサが得た実際の温度を比較せず、前記実際の温度を前記ＲＦ伝送装置に伝送し、制御を受けるホストコンピュータが前記実際の温度を受けて設定温度比較等の処理を行うようにすることができるということである。ホストコンピュータ上にも設定温度を有するので、ホストコンピュータにより前記センサした実際の温度と設定温度を比較し、温度を低減又は上昇させる指定を形成することができ、同様に本発明の目的を実現することができる。
【００２０】
前記遠隔制御器の第１プロセッサは、定期又は不定期に使用者が入力した設定温度と前記温度センサが測定する実際の温度を比較し、定期又は不定期に空調設備ホストコンピュータの動作を調節することができ、使用者に快適な環境温度を感じさせることができる。また、実際の温度は、設定温度より低い時、空調設備のホストコンピュータをステップ制御し、環境温度を段階的に向上させ、その後、使用者が入力する設定温度とセンサする実際の温度を比較し、それらが近似又は同一となるようにし、使用者が望む設定温度に達する要求に適合する。温度が高すぎる時、設定温度を実際の温度より低くし、空調設備のホストコンピュータに環境温度を低減させる。複数回の調節で使用者が必要な温度を得ることができる。
【００２１】
図７において、本発明が更に提供する空調設備のもう１つの実施例は、ホストコンピュータ、信号変換発信器、遠隔制御器を備えている。前記遠隔制御器は、第１プロセッサ、それと接続する第１ＲＦ伝送装置、キーボード、ディスプレイを含む。前記ホストコンピュータは、赤外受信装置とそれに接続する第２プロセッサを有する。
【００２２】
前記信号変換発信器は、順に接続する第２ＲＦ伝送装置、第３処理器および赤外発送装置を有している。前記第２ＲＦ伝送装置と前記第１ＲＦ伝送装置との間は、無線ＲＦ方式で通信を行う。前記赤外発送装置と前記赤外受信装置との間は、赤外伝送方式で通信を行う。前記第３処理器は、ＲＦ信号と赤外信号との間でデータフォーマット変換を行うことに用いる。
【００２３】
使用時、使用者は、遠隔制御器のキーボードを押し、前記遠隔制御器の第１プロセッサが命令を発生する。前記遠隔制御器の第１ＲＦ伝送装置は、前記信号を無線ＲＦ方式で伝送する。もう１つの位置の信号変換発信器は、前記第２ＲＦ伝送装置を介して前記命令を受信し、前記命令を処理した後、前記第３プロセッサに伝送する。前記第３プロセッサが前記命令を赤外信号データフォーマットの命令に変換する。その後、前記赤外発送装置が赤外伝送方式を介して前記命令を前記ホストコンピュータの赤外受信装置に発送し、前記ホストコンピュータの第２プロセッサにより該命令を処理し、ホストコンピュータの動作を制御する。
【００２４】
本発明は、遠隔制御器と被制御ホストコンピュータとの間に信号変換発信器を増設し、前記遠隔制御器と信号変換発信器との間にＲＦ方式を採用し通信し、前記信号変換発信器と前記ホストコンピュータとの間は、伝統的な赤外伝送方式を採用して通信し、同時に、前記信号変換発信器は、ＲＦと赤外の間でデータフォーマット変換を行う。使用者は、ＲＦ伝送の大きな空間範囲と大きな伝送角度を利用し、手で遠隔制御器を持ち、被制御ホストコンピュータから離れた箇所で遠隔制御を行い、遠隔制御器の方向は、任意に向けることができ、使用者の操作難易度と負担を大きく軽減できる。また、現有の被制御ホストコンピュータ又は空調設備に対して如何なる変更も行う必要がなく、使用者の使用に便利である。
【００２５】
説明すべきことは、他の実施例中、前記信号変換発信器の第２ＲＦ伝送装置と第３プロセッサは、一体に成型することができ、前記遠隔制御器の第１プロセッサと第１ＲＦ伝送装置も一体に成型することができるということである。図７に示す構造は、本発明に対して記載に便利である為であり、本発明の各ユニットを図７に示す構造に基づき製造することに制限するものではない。更に、図中の各種ユニット又は器材が好適な状況で各種組み合わせて一体に成型することができ、また、更に複数のユニットに分離することもでき、より多くのユニットに分離した後、各種組み合わせで一体に成型することもできる。
【００２６】
同様に、本文が記載する実施例中、各種ユニット又は器材は、好適な状況で何れも各種組み合わせを一体に成型することができ、更により多くのユニットに分解することもできる。
【００２７】
図８において、具体的実施例中、前記信号変換発信器の第２ＲＦ伝送装置は、順に接続するアンテナユニットと、信号増幅ユニット、フィルタリングユニットおよび復調ユニットを含み、前記復調ユニットは、前記第３プロセッサに接続し、前記アンテナユニットは、前記第１ＲＦ伝送装置と通信する。前記信号変換発信器の赤外発送装置は、順に接続するエンコーディング調整ユニット、信号増幅駆動ユニットおよび赤外発信ユニットを含み、前記エンコーディング調整ユニットは、前記第３プロセッサに接続し、前記赤外発信ユニットは、前記赤外受信装置と通信する。前記第３プロセッサは、前記復調ユニットからのＲＦ信号データに対して分析処理を行い、それを赤外信号データフォーマットに変換した後、前記エンコーディング調整ユニットに伝送する。前記赤外信号のエンコーディングは、多種の選択を有し、例えば、赤外信号データフォーマットに変換した後の命令は、ガイド番号、使用者コード、制御コード等の部分から構成される。
【００２８】
図９において、もう１つの具体的実施例中、前記信号変換発信器の第２ＲＦ伝送装置は、順に接続するアンテナユニットと、信号増幅ユニット、フィルタリングユニットおよび調整復調ユニットを含み、前記調整復調ユニットは、前記第３プロセッサに接続し、前記アンテナユニットは、前記第１ＲＦ伝送装置と通信する。前記信号変換発信器の赤外発送装置は、順に接続するエンコーディング調整ユニット、信号増幅駆動ユニットおよび赤外発信ユニットを含み、前記エンコーディング調整ユニットは、前記第３プロセッサに接続し、前記赤外発信ユニットは、前記赤外受信装置と通信する。前記第３プロセッサは、前記調整復調ユニットからのＲＦ信号データに対して分析処理を行い、それを赤外信号データフォーマットに変換した後、前記エンコーディング調整ユニットに発送する。遠隔制御器が命令を発信した後、信号変換発信器が信号を受信すれば、信号変換発信器は、原路により信号を遠隔制御器にフィードバックし、信号変換発信器が信号を受け取ったことを確認する。このように、干渉によって、信号変換発信器が遠隔制御器の信号を受け取れなかった時、遠隔制御器は、信号を継続発信し、伝送の信頼性を確保することができる。
【００２９】
図１０において、実施例中、前記遠隔制御器は、前記第１プロセッサに接続する温度センサを含み、前記第１プロセッサは、前記温度センサが測定する実際の温度と使用者が入力する設定温度を比較し、実際の温度が設定温度より低い時、前記第１ＲＦ伝送装置に温度上昇の命令を発信し、そうでなければ、温度低減の命令を発信する。前記使用者が入力する設定温度は、使用者がその時に入力する設定温度であることができ、また、事前に入力した設定温度であることができ、前記設定温度は、前記第１プロセッサ中に保存され、上記比較又は、表示等のその他の処理を行うことができる。
【００３０】
この方法を採用する技術的効果は、使用者と空調設備のホストコンピュータが一般に一定の距離を有するが、空調設備の環境温度に対する制御は、ホストコンピュータに基づいて検出した環境温度に基づき制御を行う。使用者が居る箇所の環境温度とホストコンピュータの箇所の温度が異なる可能性があり、例えば、空調設備がホストコンピュータ周囲の環境に基づき、温度制御を行う場合、制御される環境温度は、使用者の要求に適合しない。従って、遠隔制御器は、一般使用者の近くにあり、遠隔制御器周囲の温度と使用者周囲の温度は、一致または近似しているので、本発明中、遠隔制御器を採用し、使用者周囲の環境温度をセンサし、この環境温度を温度調節の根拠とし、信号を空調ホストコンピュータに自動発送し、温度調節を行い、使用者が要求する使用者周囲の環境温度を調節することができ、使用者の温度要求、省エネルギー、環境保全の目的を満足することができる。
【００３１】
また、遠隔制御器の温度センサと信号変換発信器の組み合わせは、より良好な効果を実現することができる。現有技術の空調遠隔制御器は、何れも赤外遠隔制御の方式を採用し、赤外伝送方向性の特徴によって、電気機器およびその遠隔制御器の距離は、一定方向範囲内でのみ遠隔制御を行うことができ、遠隔制御器の赤外発信モジュールは、電気機器の赤外受信器に照準して始めて信号伝送が有効となる。これは、電気機器遠隔制御時、使用者が空調設備ホストコンピュータ上野赤外受信部位に十分に近づく必要があり、遠隔制御器の発信モジュールを前記赤外受信部位に照準するステップが必要であり、操作が面倒である。使用者が空調設備のホストコンピュータから遠く離れている場合、赤外遠隔制御器上で温度をセンサさせ、赤外伝送の距離が短く、センサした温度信号が空調設備のホストコンピュータ上に到達することが困難である。また、遠隔制御器の角度が合っていないと、センサした温度信号をホストコンピュータに伝達することができない。両方面の原因は、使用者の要求に適合した周囲慣用温度を調節することが困難な技術的欠陥を招く。本発明は、遠隔制御器を採用し、使用者周囲の環境温度をセンサすると同時に、信号伝送発信器と遠隔制御器との間のＲＦ伝送を利用し、長距離、大きな角度で空調設備のホストコンピュータを制御し、正確な温度調節を行うことができ、空調設備のホストコンピュータが使用者周囲の環境温度データを確実に受信することを保証し、使用者の周囲の環境温度が使用者が実際に必要な温度であることを保証し、使用者の快適度を向上し、更に、省エネルギー、環境保全の目的を達成する。
【００３２】
前記第１ＲＦ伝送装置と第２ＲＦ伝送装置の動作周波数段は、２．４ＧＨｚであることができるが、２，４ＧＨｚに限定するものではなく、その他の周波数であることができ、例えば、４００ＭＨｚ等であることができる。
【００３３】
使用時、前記信号変換発信器を前記ホストコンピュータの付近に配置し、赤外発送装置が前記ホストコンピュータの赤外受信装置に向くことができる。前記遠隔制御器は、任意に向けることができ、遠隔制御器とホストコンピュータの最遠操作可能距離は、遠隔制御器の具体的設計に準ずる。
【００３４】
図１１において、また、本発明が更に提供する信号変換発信器は、順に接続するＲＦ伝送装置、プロセッサ、赤外発送装置を含み、前記ＲＦ伝送装置は、遠隔制御器と通信し、前記赤外発送装置は、赤外信号制御受ける空調設備と通信し、前記プロセッサは、ＲＦ信号と赤外信号の間でデータフォーマット変換を行うことに用いる。
【００３５】
前記のように、本発明の信号変換発信器を使用する使用者は、任意の方向に遠隔制御器を向けることができ、制御される電気機器から離れることができ、使用者の操作難易度と負担を大幅に軽減できる。また、現有の被制御ホストコンピュータ又は空調設備に対し、変更を行う必要なく、使用に便利である。
【００３６】
説明すべきことは、本発明の前記の設定温度は、理解の為の１つの温度値に過ぎず、設定温度は、温度値または温度範囲であることができるということである。
【符号の説明】
【００３７】
１０  マイクロプロセッサ
１２  ＲＦ伝送装置
１６  キー
１７  ＬＣＤスクリーン
１８  温度センサ
Ｍ，Ｎ，Ｍ’，Ｎ’  集積体ピン
Ｓ１〜Ｓ１６  キーマトリクススキャン回路
Ｒ  分圧抵抗
ＲＴ  熱抵抗
【図１】
2010243060.tif 000003
【図２】
2010243060.tif 000004
【図３】
2010243060.tif 000005
【図４】
2010243060.tif 000006
【図５】
2010243060.tif 000007
【図６】
2010243060.tif 000008
【図７】
2010243060.tif 000009
【図８】
2010243060.tif 000010
【図９】
2010243060.tif 000011
【図１０】
2010243060.tif 000012
【図１１】
2010243060.tif 000013